(57)【特許請求の範囲】
【請求項１】
繊維束から成るブラシ毛がＵ字状に折り返された状態で並列して、この折り返し部の近傍が経編組織の編目の鎖編糸で編成固定して一体化されたブラシ材であって、
前記ブラシ毛は複数の層を成しており、かつ、これらブラシ毛がそれぞれ異なる編目の鎖編糸に囲まれて互いに独立して拘束保持されていることを特徴とする多層構造ブラシ。
【請求項２】
繊維束から成るブラシ毛がＵ字状に折り返された状態で並列して、この折り返し部の近傍が経編組織の編目の鎖編糸で編成固定して一体化されたブラシ材であって、
前記ブラシ毛は複数の層を成して編目の鎖編糸により拘束保持されており、かつ、これら複数の層のうちの少なくとも２層間において、略等間隔で配列した一方のブラシ毛のブラシ毛束の立毛位置が、他方の層のブラシ毛のブラシ毛束の立毛位置の合間であることを特徴とする多層構造ブラシ。
【請求項３】
ブラシ毛を編成固定する経編組織が、表裏に編目列を有するダブルラッセル組織であることを特徴とする請求項２記載の多層構造ブラシ。
【請求項４】
ブラシ毛の少なくとも１層のブラシ毛の素材が、他の層のブラシ毛の素材と異なることを特徴とする請求項１〜３の何れか一つに記載の多層構造ブラシ。
【請求項５】
ブラシ毛の少なくとも１層のブラシ毛の長さが、他の層のブラシ毛の長さと異なることを特徴とする請求項１〜４の何れか一つに記載の多層構造ブラシ。
【請求項６】
ブラシ材の少なくとも１層のブラシ毛の折り返し数が、他の層のブラシ毛の折り返し数と異なることを特徴とする請求項１〜５の何れか一つに記載の多層構造ブラシ。
【請求項７】
ブラシ毛の一部が導電性を有する素材であることを特徴とする請求項１〜６の何れか一つに記載の多層構造ブラシ。
【請求項８】
ブラシ毛の一部が防虫成分を練り込んだ防虫繊維であることを特徴とする請求項１〜７の何れか一つに記載の多層構造ブラシ。
【請求項９】
ブラシ毛の折り返し部側の端部において、熱溶融繊維の編構造によってブラシ材の長さ方向に延びる凸状の取付凸部が設けられていることを特徴とする請求項１〜８の何れか一つに記載の多層構造ブラシ。
【発明の詳細な説明】
【技術分野】
【０００１】
本発明は、掃除機ヘッドの吸い込み口に設けられる集塵ブラシや画像処理機等において静電気を除去するための除電ブラシ等のブラシ材の改良、更に詳しくは、ブラシ材としての柔軟性を損なわずにブラシ毛の本数を増加し、かつ、均一な配列密度を可能とし、しかも、種々の機能性を発揮させることもできる多層構造ブラシに関するものである。
【背景技術】
【０００２】
従来、画像形成装置などの用紙取り扱い装置において静電気が発生すると、搬送などにおいて種々のトラブルを起こすことから、導電性素材を用いた除電ブラシを用紙に接触せしめて、この除電ブラシを介して接地する除電方法が行われており、例えば、＜特許文献１＞では、複数の導電性ブラシ毛がふたつ折りに屈曲して並列され、このブラシ毛の屈曲部側を織物構造により一体化した除電ブラシが提案されている。この織物構造による＜特許文献１＞の技術によれば、ブラシ毛の向きをブラシの長さ方向に対して交差する方向にして、多数本並んだシート状のブラシ材が容易に得られる。
【０００３】
しかしながら、実際の製造過程は、ブラシ毛の長さの２倍の細幅織物において、織物の両耳近傍だけに経糸を配列して導電性繊維束からなる緯糸を織物の両耳で折り返しながら製織して、織幅の中央をカットするものであるため、一つの緯入れ機構で１本の織物しか得られず、ブラシ毛の本数が少なく生産性が低くて製造コストが高い難点があった。
【０００４】
また、＜特許文献２＞では、複数の導電性ブラシ毛がふたつ折りに屈曲して並列され、このブラシ毛の屈曲部側が２列の鎖編で一体に保持された経編技術による除電ブラシが提案されており、この経編技術であれば１台の経編機により多数本取りで編成することができるので高い生産性が得られることから、最近ではブラシ生産に多用されている
【０００５】
しかしながら、複数本の繊維束からなるブラシ毛は編糸により拘束されているので、ブラシ毛束間に隙間が生じる問題があり、また、ブラシ毛の本数を増やす場合、ブラシ毛束自体の直径が増大してしまい、ブラシ毛として要求される柔軟性が損なわれて被接触体を傷つけてしまう懸念がある。
【０００６】
また、最近ではブラシ材は種々の用途に使われるようになり、しかも多機能性が要求されるケースも多いが、１種類のブラシ毛で多機能性を発揮させることは困難であることから、例えば、＜特許文献３＞のように、機能が異なる複数のブラシを積層して接合する方法が提案されているが、複数種のブラシの準備や、精度よく接合するための作業等は非常に面倒であり、製造コストが高くなるという問題があった。
【先行技術文献】
【特許文献】
【０００７】
【特許文献１】特開昭５９−１０５４０８号公報
【特許文献２】特開平１０−２３９２７号公報
【特許文献３】特開２００６−２９６４９６号公報
【発明の概要】
【発明が解決しようとする課題】
【０００８】
本発明は、従来のブラシ材に上記のような問題があったことに鑑みて為されたものであり、その目的とするところは、ブラシ材としての柔軟性を損なわずにブラシ毛の本数を増加し、かつ、均一な配列密度を可能とし、しかも、種々の機能性を発揮させることもできる多層構造ブラシを提供することにある。
【課題を解決するための手段】
【０００９】
本発明者が上記技術的課題を解決するために採用した手段を、添付図面を参照して説明すれば、次のとおりである。
【００１０】
即ち、本発明は、繊維束から成るブラシ毛がＵ字状に折り返された状態で並列して、この折り返し部の近傍が経編組織の編目の鎖編糸で編成固定して一体化されたブラシ材であって、
前記ブラシ毛は複数の層を成しており、かつ、これらブラシ毛をそれぞれ異なる編目の鎖編糸に囲まれて互いに独立して拘束保持するという技術的手段を採用したことによって、多層構造ブラシを完成させた。
【００１１】
また、本発明は、繊維束から成るブラシ毛がＵ字状に折り返された状態で並列して、この折り返し部の近傍が経編組織の編目の鎖編糸で編成固定して一体化されたブラシ材であって、
前記ブラシ毛は複数の層を成して編目の鎖編糸により拘束保持されており、かつ、これら複数の層のうちの少なくとも２層間において、略等間隔で配列した一方のブラシ毛のブラシ毛束の立毛位置を、他方の層のブラシ毛のブラシ毛束の立毛位置の合間にするという技術的手段を採用することもできる。
【００１２】
また、本発明は、上記課題を解決するために、必要に応じて上記手段に加え、ブラシ毛を編成固定する経編組織を、表裏に編目列を有するダブルラッセル組織にするという技術的手段を採用することもできる。
【００１３】
更にまた、本発明は、上記課題を解決するために、必要に応じて上記手段に加え、ブラシ毛の少なくとも１層のブラシ毛の素材を、他の層のブラシ毛の素材と異なるようにするという技術的手段を採用することもできる。
【００１４】
更にまた、本発明は、上記課題を解決するために、必要に応じて上記手段に加え、ブラシ毛の少なくとも１層のブラシ毛の長さを、他の層のブラシ毛の長さと異なるようにするという技術的手段を採用することもできる。
【００１５】
更にまた、本発明は、上記課題を解決するために、必要に応じて上記手段に加え、ブラシ材の少なくとも１層のブラシ毛の折り返し数を、他の層のブラシ毛の折り返し数と異なるようにするという技術的手段を採用することもできる。
【００１６】
更にまた、本発明は、上記課題を解決するために、必要に応じて上記手段に加え、ブラシ毛の一部を導電性を有する素材にするという技術的手段を採用することもできる。
【００１７】
更にまた、本発明は、上記課題を解決するために、必要に応じて上記手段に加え、ブラシ毛の一部を防虫成分を練り込んだ防虫繊維にするという技術的手段を採用することもできる。
【００１８】
更にまた、本発明は、上記課題を解決するために、必要に応じて上記手段に加え、ブラシ毛の折り返し部側の端部において、熱溶融繊維の編構造によってブラシ材の長さ方向に延びる凸状の取付凸部を設けるという技術的手段を採用することもできる。
【発明の効果】
【００１９】
本発明にあっては、繊維束から成るブラシ毛がＵ字状に折り返された状態で並列して、この折り返し部の近傍を経編組織で編成固定して、前記ブラシ毛は複数の層を成しており、かつ、これらブラシ毛をそれぞれ異なる鎖編糸に囲まれて互いに独立して拘束保持したことによって、ブラシ材としての柔軟性を損なわずにブラシ毛の本数を増加し、かつ、均一な配列密度を可能とし、しかも、種々の機能性を発揮させることもできる。
【００２０】
また、ブラシ毛が複数の層を成して鎖編糸により拘束保持して、かつ、これら複数の層のうちの少なくとも２層間において、略等間隔で配列した一方のブラシ毛のブラシ毛束の立毛位置を、他方の層のブラシ毛のブラシ毛束の立毛位置の合間にしたことによっても、ブラシ材としての柔軟性を損なわずにブラシ毛の本数を増加し、かつ、均一な配列密度を可能とし、しかも、種々の機能性を発揮させることができる。
【００２１】
このように、ブラシ毛は少なくとも２層からなって一体化されており、各層のブラシ毛は互いに異なる鎖編糸により互いに分離されつつ繊維束単位で強固に拘束されているので、ブラシ毛密度を高めてもブラシ毛抜けを抑制することができる。
【００２２】
また、各層を異なる繊維素材としても、これらの繊維同士が混ざり合うことなく前後の位置関係で確実に分離されているので、各繊維素材の持つ機能を効果的に発揮させることができる。
【００２３】
更にまた、ブラシ毛の本数を増加することが容易であり、さらにブラシ毛の配列において隙間なく配列することができるので、ブラシ毛の密度を高めることができ、掃除機やクリーナー等において漏れなく塵埃を掃き出すことができる。
【００２４】
更にまた、必要に応じて、本発明の多層構造ブラシにおける複数層のブラシ毛をダブルラッセル組織で一体化させることができ、各層を別々に製造した後に合わせて縫合したりする手間が省け、しかも、各層間のブラシ毛の配列は編組織により均一に配列させることができる。
【００２５】
更にまた、必要に応じて、ブラシの少なくとも１層のブラシ毛の素材を他の層のブラシ毛と異なる素材とすることができ、複数の機能を発揮させることが可能であり、更には、ブラシ毛を３層や４層として、中央部に比較的脆弱な機能性繊維の層を配置した場合であっても、外側に耐久性のある繊維を使用することにより、この機能性繊維を保護することができる。
【００２６】
更にまた、必要に応じて、ブラシの少なくとも１層のブラシ毛の長さを他の層のブラシ毛の長さと異なる長さとすることができ、長いブラシ毛層の片側または両側に短いブラシ毛層を配置することによって、長いブラシ毛の倒れ変形の抑制や折れ防止効果などによって、耐久性のあるブラシとなる。
【００２７】
更にまた、必要に応じて、ブラシ毛の一部を導電性を有する素材にすることができ、ブラシ毛と被接触体との摩擦による帯電に対して導電性素材を介して除電が可能となり、静電気による種々のトラブルを防ぐことができる。
【００２８】
更にまた、必要に応じて、ブラシ毛の一部を防虫成分を練り込んだ防虫繊維にすることができ、本発明の多層構造ブラシを住宅窓枠等のシール材として用いることにより、虫が防虫剤の匂いで窓枠近傍には近寄らないので、窓を開け閉めしても虫が室内へ侵入することを防ぐことができる。
【００２９】
更にまた、必要に応じて、ブラシ毛の折り返し部側の端部に、熱溶融繊維を含む編構造によってブラシの長さ方向に延びる凸状の取付凸部を設けることができ、この取付凸部の熱溶融性繊維の融点以上に加熱して型成形することによって、樹脂注入成形などの煩雑な成形加工を施すことなく、簡単に取付凸部を形成することができる。
【図面の簡単な説明】
【００３０】
【図１】本発明の第１実施形態の多層構造ブラシの構造を表す概略図である。
【図２】本発明の第１実施形態の多層構造ブラシの構造を表す概略断面図である。
【図３】本発明の第１実施形態の多層構造ブラシの構造を表す部分斜視図である。
【図４】本発明の第１実施形態の多層構造ブラシの経編組織図である。
【図５】本発明の第２実施形態の多層構造ブラシの構造を表す概略図である。
【図６】本発明の第２実施形態の多層構造ブラシの構造を表す概略断面図である。
【図７】本発明の第２実施形態の多層構造ブラシの構造を表す部分斜視図である。
【図８】本発明の第２実施形態の多層構造ブラシの経編組織図である。
【図９】本発明の第３実施形態の多層構造ブラシの構造を表す概略断面図である。
【図１０】本発明の第３実施形態の多層構造ブラシの構造を表す部分斜視図である。
【図１１】本発明の第４実施形態の多層構造ブラシの構造を表す概略断面図である。
【図１２】本発明の第４実施形態の多層構造ブラシの構造を表す部分斜視図である。
【図１３】本発明の実施形態の多層構造ブラシの応用例を示す概略図である。
【発明を実施するための形態】
【００３１】
本発明を実施するための形態を具体的に図示した図面に基づいて更に詳細に説明すると、次のとおりである。
【００３２】
『第１実施形態』
本発明の第１実施形態を図１から図４に基づいて説明する。図中、符号１で指示するものはブラシ本体であり、符号２ａ、２ｂで指示するものは経編組織の編目であり、符号３ａ、３ｂで指示するものは繊維束から成るブラシ毛である。
【００３３】
図１は本実施形態の多層構造ブラシの構造を表す概略図である。ブラシ毛３ａ・３ｂは上下の位置関係で、共に細幅テープ状の両耳でＵ字状に折り返された状態で並列しており、この折り返し部の近傍を経編組織の編目２ａと編目２ｂの二つの鎖編糸で編成固定して一体化する。
【００３４】
本実施形態の概略断面図を図２に示す。前記ブラシ毛は複数の層（本実施形態では２層）を成しており、かつ、これらブラシ毛がそれぞれ異なる鎖編糸に囲まれて互いに独立して拘束保持されている。
【００３５】
即ち、図３にも示すように、ブラシ毛３ａ・３ｂは表側と裏側とに完全に分かれており、表側のブラシ毛３ａは編目２ｂの鎖編糸により拘束され、裏側のブラシ毛３ｂは編目２ａの鎖編糸により拘束されているため、２つのブラシ毛３ａおよび３ｂは鎖編糸によりそれぞれ独立した状態で分離され、かつ、鎖編糸によりそれぞれ独立した状態で拘束されている。
【００３６】
このように、２つのブラシ毛３ａ・３ｂが確実に分離して拘束され、そして表裏で配列することによって、ブラシ毛の繊維本数密度を増やすことが容易に可能である。この際、更に、表裏のブラシ毛素材を違えることによって、二つの機能を発揮させるブラシを得ることもできる。
【００３７】
そして、こうして編成された細幅テープ状基材の中央部を、長さ方向（図１中の一点鎖線）にカットすることで、二つのブラシを得ることができる。
【００３８】
ここで、本実施形態の編組織を図４に示す。本実施形態では、筬Ｌ１と筬Ｌ３が鎖編糸（鎖編組織）で、筬Ｌ２と筬Ｌ４にブラシ毛の繊維束による８針横振り挿入組織とすることによって、筬Ｌ１の鎖編糸が筬Ｌ２と筬Ｌ４の両ブラシ毛を拘束するが、筬Ｌ３の鎖編糸は、筬Ｌ４のブラシ毛のみを拘束するので、それぞれのブラシ毛を独立状態で拘束することができるのである。
【００３９】
本実施形態の経編組織としては、鎖編組織であるとブラシの長さ方向への伸長が抑制されるので、ブラシの寸法安定性の面から最も好ましいが、１／１トリコット編やコード編、またはこれらの組み合わせであっても構わない。また、ブラシ毛３のＵ字状の折り返し部近傍を編成する編目列は、ブラシ毛３を確実に保持することを目的とするものであり、２〜５列並行させて編成することが好ましい。
【００４０】
また、編目２ａ・２ｂを形成する糸種としては、一般に経編でよく使用されているポリアミド繊維、ポリエステル繊維等のマルチフィラメント糸、およびそれらの加工糸を採用することができ、繊度としては３０〜６００ｄｔｅｘ程度が好ましい。繊度が３０ｄｔｅｘより小さいとブラシ毛３となる繊維束への締付力が不足してブラシ毛３が抜け易い問題があり、一方、繊度が６００ｄｔｅｘより大きくなると編目２の厚みが増える問題や、ブラシ毛の繊維束間の編糸の存在により繊維束間の隙間が大きくなる問題がある。
【００４１】
また、編目２ａ・２ｂは鎖編組織であることからブラシ毛３に沿って移動し易いので、確実に固定する手段として、低融点繊維を編目２ａ・２ｂの鎖編糸と引き揃えて編成したり、または鎖編糸自身を低融点ポリマーと高融点ポリマーとの芯鞘複合糸を用いて編成し、低融点の融点以上の温度の加熱処理でブラシ毛と編目を接着させることができ、同時にブラシ毛３の抜け防止対策になる。
【００４２】
本実施形態の多層構造ブラシの編成条件における編成密度としては、ブラシの用途により異なるが、ブラシ毛の繊維束の太さが細く、緻密な配列が望まれるものは高密度に編成する必要があり、一方、太い繊維束で強力な掃き出しを狙う用途では粗密度に編成となることから、例えば、使用するラッセル編機のゲージとしては、１６〜２４ゲージ／２５．４ｍｍ程度で、コース密度としては、１０〜２５コース／２５．４ｍｍの範囲であることが好ましい。
【００４３】
また、本実施形態の多層構造ブラシのブラシ毛３の素材としては、ポリアミド繊維、ポリエステル繊維、ポリプロピレン繊維、アクリル繊維等の合成繊維、炭素繊維やステンレス繊維、あるいは導電物質を含む合成繊維等の導電性繊維、また、防虫剤や抗菌剤が練り込まれた機能性繊維等を採用することができる。この際、二つのブラシ毛３ａ・３ｂの素材が同一であっても構わないが、それぞれのブラシ毛３に機能性の異なる素材とすることで複数の機能を発揮させることができる。
【００４４】
ブラシ毛３ａ・３ｂに、炭素繊維や金属繊維、あるいは導電物質を含む合成繊維などの導電性繊維を用いることによって、それらの繊維自身は帯電しないようにし、また、他の合成繊維と併合して用いた際には、発生した静電気を導電性繊維を介して逃がしてやることができ、静電気による種々のトラブルを防ぐことができる。
【００４５】
また、防虫性の機能性繊維を採用することによって、例えば、ピレスロイド系殺虫剤が熱可塑性樹脂に練り込まれて繊維状にした繊維等、一般に市販されている防虫繊維を用いることができ、防虫繊維をブラシ毛としたブラシを窓枠等のシール材として用いることにより、隙間から虫の侵入を防ぐと同時に、防虫剤の匂いで窓枠近傍には虫が近寄らないので、窓を開け閉めしても虫が室内へ侵入することを防ぐことができる。
【００４６】
そしてまた、抗菌性の機能性繊維を採用することによって、例えば、抗菌性を有した銀イオンを持つ銀系化合物、陽イオン界面活性剤の一つである第四級アンモニウム塩化合物、更には天然のキチン、キトサンなどが熱可塑性樹脂に練り込まれた繊維などがあり、掃除機の吸い込み口などのブラシ材に利用することによって、床やカーペットなどの敷物の抗菌作用が期待できる。
【００４７】
なお、ブラシ毛３に使用する繊維種の中でも、防虫剤や抗菌剤を練りこんだ繊維は比較的に磨耗に弱く、また、導電性の炭素繊維においては、引っ張り強度は優れるものの曲げに対して折れやすいという欠点を有しているので、２層のブラシ毛３ａ・３ｂのどちらか、あるいは３層や４層のブラシ毛３ｃ・３ｄ・３ｅの層に、これらの機能性繊維を配列させて、ブラシ使用時における倒れに対して後押しとなる側（被さる側）、または外側にポリアミド繊維等のような靭性を有した繊維を配列させることによって、機能性繊維の耐久性を増すことができる。
【００４８】
また、どちらか一方の層を長いブラシ毛とし、もう一方の層を短いブラシ毛とすることによって、短いブラシ毛を長いブラシ毛の倒れ防止用として作用させて長いブラシ毛を補助することができる。具体的な製造方法としては、例えば、長いブラシ毛には熱収縮の小さい繊維を用い、もう一方の繊維には熱収縮の大きい繊維を用いて編成し、中央部をカットした後に加熱して、一方の繊維を大きく収縮することによって異なる長さのブラシ毛を形成することができる。更には、ブラシ毛の短い方のみに熱収縮性の加工糸を用いることもできる。
【００４９】
『第２実施形態』
次に、本発明の第２実施形態を図５から図８に基づいて説明する。図５は本実施形態の多層構造ブラシを表す正面図である。本実施形態は、第１実施形態と同様に、繊維束から成るブラシ毛がＵ字状に折り返された状態で並列して、この折り返し部の近傍が経編組織で編成固定されたブラシ材であるが、前記ブラシ毛は複数の層を成して鎖編糸により拘束保持されており、かつ、これら複数の層のうちの少なくとも２層間において、略等間隔で配列した一方のブラシ毛のブラシ毛束の立毛位置を、他方の層のブラシ毛のブラシ毛束の立毛位置の合間にする点において異なる。
【００５０】
まず、ブラシ毛３ａ・３ｂは、それぞれ表裏関係で層を成し、表側層のブラシ毛３ａは表側の編目２ａにより一体化され、裏側層のブラシ毛３ｂは裏側の編目２ｃにより一体化されている。
【００５１】
そして、表側の編目２ａと裏側の編目２ｃとはそれぞれ鎖編組織を成しており、鎖編のシンカーループ同士が交錯し合って両編目が結合されている。この結合方法としては、同一の鎖編糸で前後２列の針床を交互に編成させても良いし、更には、両編目間に鎖編糸とは別の連結糸を設けて互いに連結させることもできる。
【００５２】
また、ブラシ毛３ａ・３ｂは、それぞれ両耳端でＵ字状に折り返されて層を成し、両耳端近傍で編目２ａ・２ｃにより一体化されており、第１実施形態と同様に、編成後に細幅テープ状基材の中央部を、長さ方向（図５中の一点鎖線）にカットすることで、二つのブラシを得ることができる。
【００５３】
本実施形態の概略断面図を図６に示す。また、図７に示すように、表側層のブラシ毛３ａは、表側編目２ａの鎖編糸の編目とシンカーループにより拘束されて、編目２ａと同間隔で配列しており、一方、裏側層のブラシ毛３ｂは裏側編目２ｃの鎖編糸の編目とシンカーループにより拘束されて、表側層と同様に、編目２ｃと同間隔で配列している。
【００５４】
本実施形態では、ダブルラッセル編機で編成することが好ましい。ダブルラッセル編機は、前後２列の針床が交互に上下して編成されるので、編地の長さ方向において、表側編目と裏側編目とのピッチが編目長さの１／２長さ分ずれるため、編目により拘束されているブラシ毛３ａ・３ｂは、表側層のブラシ毛３ａの立毛位置が裏側層のブラシ毛３ｂの配列の隙間の位置（合間）になる。
【００５５】
したがって、ブラシの掃き出し方向（ブラシの長手方向）において、表側ブラシ毛３ａの配列の隙間に丁度裏側ブラシ３ｂが存在するので、ブラシ毛が隙間なく配列されたのと同じ効果を発揮することになるため、高密度の経編機など特殊な経編機を用いなくとも、また、太い繊維束で無理して編成することなくとも、通常の経編機で容易に高密度立毛のブラシを得ることができる。
【００５６】
ここで、本実施形態の編組織を図８に示す。本実施形態では、筬Ｌ２と筬Ｌ３が鎖編糸（鎖編組織）で、筬Ｌ１と筬Ｌ４にブラシ毛となる繊維束による８針横振り挿入組織とすることによって、（前）筬Ｌ２で後ろ針床の編針で鎖編を編成し、逆に、（後）筬Ｌ３で前針床の編針で鎖編を編成することによって、鎖編のシンカーループ同士が交錯し合って一体化することができるのである。
【００５７】
『第３実施形態』
次に、本発明の第３実施形態を図９および図１０に基づいて説明する。本実施形態では、ブラシ毛３の層を３層とする構造である。即ち、表側層のブラシ毛３ａは表側の編目２ａの側面で、かつ、裏側層のブラシ毛３ｂは裏側の編目２ｃの側面で、それぞれの鎖編のシンカーループに囲まれて保持されており、それらのブラシ毛３ａ・３ｂの層間において、両鎖編目２ａ・２ｃのシンカーループの間に挟まれる形でブラシ毛３ｃが保持された３層構造を成している。このように、本実施形態における各ブラシ毛は、単独あるいは複数のそれぞれ異なる鎖編糸に囲まれて互いに独立して拘束保持されている。
【００５８】
このような３層構造とすることにより、ブラシの長手方向に対してブラシ毛３ａ・３ｃ・３ｂがブラシの長さ方向に少しずれながら順に並ぶので、隙間がなく、確実な掃き出し作用が期待できる。更には、前述したように曲げや磨耗に弱い機能性繊維を中央に配列せしめて、その両側に耐久性の優れた繊維を配列させて保護するような３層構造にすることもできる。
【００５９】
『第４実施形態』
次に、本発明の第４実施形態を図１１および図１２に基づいて説明する。本実施形態では、ブラシ毛３の層を４層とする構造である。即ち、表側層のブラシ毛３ａは表側の編目２ａの側面に配列され、そして、２層目のブラシ毛３ｄが表側１層目のブラシ毛３ａに重なるようにして配列されて、表側の別々の鎖編糸でそれぞれ独立して保持されている一方、４層目のブラシ毛３ｂは裏側の編目２ｃの側面に配列され、３層目のブラシ毛３ｅが４層目のブラシ毛３ｂと重なり、裏側の別々の鎖編糸でそれぞれ独立して保持されており、２層目のブラシ毛３ｄと３層目のブラシ毛３ｅを保持する鎖編糸同士が交錯して一体化している。
【００６０】
このような形でブラシ毛を４層とすることにより、中間層の２層のブラシ毛３ｄ・３ｅは、両サイドのブラシ毛と同一位置の配列となることから、中間層の２層を確実に保護することが可能である。また、中間層の２層について別の機能性繊維を配列させることもでき、複数の機能を発揮するブラシを提供することができる。また、各層の繊維束はそれぞれ独立して編糸により確実に拘束されていることから、ブラシ毛の抜けを効果的に防ぐことができる。
【００６１】
＜応用例＞
本実施形態の多層構造ブラシの応用例を図１３に示す。本応用例は、ブラシ毛３の折り返し部側の端部に、熱溶融繊維から成る編構造によってブラシの長さ方向に延びる凸状の取付凸部４を設けたものである。具体的には、ブラシ本体を編成後に、ブラシ毛３の折り返し部側の端部の熱溶融性繊維の融点以上に加熱して型成形することによって、樹脂注入成形のような煩雑な成形加工をすることなく、掃除機等のブラシ取り付け用スロットに挿入可能な取付凸部４を形成することができる。
【００６２】
この際、取付凸部４の厚みｔ１としては、スロットから外れない（抜けない）厚さが必要であり、型成形後においてブラシ毛３の厚さｔ０よりも８ｍｍ以上の厚さであることが好ましく、実際には型成形することで厚みが減少するので、型成形後においてはブラシ毛３の厚みｔ０よりも４ｍｍ以上の厚さであれば問題ない。
【００６３】
また、取付凸部４の形状としては、図示の形状以外にも、ブラシ毛３の折返し側の端部から二重組織でＹ字状に枝分かれさせて、Ｔ字状、または端部で上方に折り返して成形する方法や、端部に二重組織で袋状として袋内に角棒体などを挿入して成形する方法であっても構わない。
【００６４】
なお、取付凸部４を成形するにあたり、熱溶融繊維として、低融点ポリマーと高融点ポリマーからなる芯鞘複合糸を使用したり、あるいは低融点繊維を含めて編成することによって、比較的低い温度で取付凸部４を硬化させて成形することができるので好ましい。
【００６５】
本発明は、概ね上記のように構成されるが、本発明は図示の実施形態に限定されるものではなく、「特許請求の範囲」の記載内において種々の変更が可能であって、ブラシ毛３の横振り挿入を編目毎に配列させた例を示したが、例えば、機能性繊維が非常に高価であって、ブラシ１の所々に点在するだけで効果が得られるような場合においては、機能性繊維束の折り返し数（頻度）を少なくして、機能性繊維の使用量を少なくすることができ、そうすることでブラシの製造コストを下げることができる。
【産業上の利用可能性】
【００６６】
本発明の多層構造ブラシは、ブラシ材としての柔軟性を損なわずにブラシ毛の本数を増加し、かつ、均一な配列密度を可能とし、しかも、種々の機能性を発揮させることもでき、種々の用途に適用できることから、その産業上の利用価値は非常に高い。
【符号の説明】
【００６７】
１    ブラシ本体
２（２ａ・２ｂ・２ｃ・２ｄ）  編目
３（３ａ・３ｂ・３ｃ・３ｄ・３ｅ）  ブラシ毛
４    取付凸部
【図１】
0006685498.tif 000002
【図２】
0006685498.tif 000003
【図３】
0006685498.tif 000004
【図４】
0006685498.tif 000005
【図５】
0006685498.tif 000006
【図６】
0006685498.tif 000007
【図７】
0006685498.tif 000008
【図８】
0006685498.tif 000009
【図９】
0006685498.tif 000010
【図１０】
0006685498.tif 000011
【図１１】
0006685498.tif 000012
【図１２】
0006685498.tif 000013
【図１３】
0006685498.tif 000014